(57)【特許請求の範囲】
【請求項１】
棒状の支柱本体の下端部におけるその支柱本体の軸線に対する偏心箇所に、横軸を介し、上記支柱本体に沿う格納姿勢と上記支柱本体に直交する水平姿勢との間で揺動可能に棒状の第１台座部材が取り付けられ、
上記支柱本体に上下方向スライド自在に嵌合される貫通孔部を備えたスライド具が、その貫通孔部を備えたスライド具本体と補助具とに分割されており、上記スライド具本体にその外側面と上記貫通孔部の内周面とで開口するねじ孔がそのスライド具本体を貫通して形成されていると共に、上記補助具に上記ねじ孔と同心のねじ軸挿通孔部が貫通して形成され、
上記補助具のねじ軸挿通孔部に挿通されかつ上記スライド具本体の上記ねじ孔にねじ合わされて緩み方向と締付け方向とに回転操作されるねじ軸とそのねじ軸の基部に設けられた操作部とを備えた把手を有し、上記ねじ孔にねじ合わされた上記ねじ軸が締付け方向に回転されたときに、上記貫通孔部が嵌合している上記支柱本体の外面を押し付けて上記スライド具を上記支柱本体に固定する押付け部がそのねじ軸の先端部に設けられ、
上記補助具に、立下り部とその立下り部の下端部に連設されて水平に延び出た着座部とを備える一対の棒状の第２台座部材が、それらの立下り部の相互間隔を上記第１台座部材の太さよりも広くしかつ互いに反対向きにして取り付けられ、
上記スライド具本体と上記補助具との間にそれらを離反させる方向に付勢するばね体が介在され、それらのスライド具本体および補助具のいずれか一方の端面に、水平な横溝とその横溝に対して直交する縦溝とが設けられ、他方の端面に、上記横溝および上記縦溝の両方に対し択一的に嵌合状に係合可能でかつ係合によって上記ねじ孔にねじ合わされた上記ねじ軸の回りでの上記補助具の揺動を阻止する突起が突出され、
上記把手の上記操作部と上記補助具の外側面との間に、上記ねじ孔にねじ合わされた上記ねじ軸の上記押付け部が上記支柱本体の外面を押し付けたときに上記操作部で支持されて上記補助具を上記スライド具本体側に弾性的に押し付けるばね部材が介在され、かつこのばね部材が上記ねじ軸に外嵌されたばねワッシャでなることを特徴とする支柱セット。
【請求項２】
上記突起が上記横溝および縦溝のいずれにも係合していないときに、上記ねじ軸に回転自在に支えられた上記補助具が、一対の上記第２台座部材の重さによって、上記突起と上記横溝とを相互に対向させる水平姿勢に保持されるようになっている請求項１に記載した支柱セット。
【請求項３】
上記第１台座部材において、上記支柱本体の軸線に対する上記横軸の偏心方向側の一端部から上記横軸の中心に至る部分の重さよりも、その第１台座部材における他端部から上記横軸の中心に至る部分の重さを重くしてある請求項１または請求項２に記載した支柱セット。
【発明の詳細な説明】
【０００１】
【発明の属する技術分野】
本発明は、球技用のネットを張設したり物干し竿を横架したりするときに用いられる支柱セットに関する。
【０００２】
【従来の技術】
棒状の支柱本体の下端部に台座を取り付け、その台座を地面や床面に置くだけで支柱本体を垂直に立設できるようにした支柱セットは、従来より種々提案されている。そのような支柱セットにおいて、台座に複数本の棒状部材を用い、使用時にはそれらの棒状部材を支柱本体の下端部に取り付け、運搬時や保管時にはそれらの棒状部材を支柱本体から取り外して収納袋などに収納しておく、といった型式のものは、支柱本体や台座用の棒状部材を分解してコンパクな形で運搬したり保管したりすることができるという利便性を持っている。
【０００３】
【発明が解決しようとする課題】
しかしながら、その反面で、支柱本体に台座用の棒状部材を組み付けるときの組立作業や支柱本体から台座用の棒状部材を取り外すときの分解作業が面倒で、しかも時間がかかるという問題があった。特に、球技用のネットを張設することに利用される支柱セットや、物干し竿を横架するのに使用される支柱セットにおいては、傾倒を防いで使用時の安定性を確保するために台座用の棒状部材をかなり重くしてあることが多いので、そのような支柱セットでは、上記した組立作業や分解作業に多大な労力が必要となり、老人や子供が取り扱うときに不便であるばかりでなく、危険が伴うという問題があった。
【０００４】
さらに、従来の支柱セットは、水平な地面や床面に設置することを前提として製作されていたため、支柱本体に取り付けた台座用の棒状部材を、たとえば凹凸のある地面に置いたときには、どうしても支柱本体がぐらついて設置状態が不安定になる。そのような場合、従来は、台座の地面から浮き上がっている部分に詰め物を詰めて支柱本体のぐらつきを応急的に抑えることもあったが、そのような応急的な対策は、設置状態を安定化するための満足のいく対策とはなり得ない。
【０００５】
本発明は以上の問題点に鑑みてなされたものであり、運搬時や保管時に分解することなくコンパクトな形に容易に格納することができ、使用に際しては把手を回すといった簡単な操作を行うだけで、それほどの労力を使わずに短時間で地面や床面に設置することのできる支柱セットを提供することを目的とする。
【０００６】
また、本発明は、凹凸のある地面などに対しても安定して設置することのできる支柱セットを提供することを目的とする。
【０００７】
【課題を解決するための手段】
本発明に係る支柱セットは、棒状の支柱本体の下端部におけるその支柱本体の軸線に対する偏心箇所に、横軸を介し、上記支柱本体に沿う格納姿勢と上記支柱本体に直交する水平姿勢との間で揺動可能に棒状の第１台座部材が取り付けられ、上記支柱本体に上下方向スライド自在に嵌合される貫通孔部を備えたスライド具が、その貫通孔部を備えたスライド具本体と補助具とに分割されており、上記スライド具本体にその外側面と上記貫通孔部の内周面とで開口するねじ孔がそのスライド具本体を貫通して形成されていると共に、上記補助具に上記ねじ孔と同心のねじ軸挿通孔部が貫通して形成され、上記補助具のねじ軸挿通孔部に挿通されかつ上記スライド具本体の上記ねじ孔にねじ合わされて緩み方向と締付け方向とに回転操作されるねじ軸とそのねじ軸の基部に設けられた操作部とを備えた把手を有し、上記ねじ孔にねじ合わされた上記ねじ軸が締付け方向に回転されたときに、上記貫通孔部が嵌合している上記支柱本体の外面を押し付けて上記スライド具を上記支柱本体に固定する押付け部がそのねじ軸の先端部に設けられ、上記補助具に、立下り部とその立下り部の下端部に連設されて水平に延び出た着座部とを備える一対の棒状の第２台座部材が、それらの立下り部の相互間隔を上記第１台座部材の太さよりも広くしかつ互いに反対向きにして取り付けられ、上記スライド具本体と上記補助具との間にそれらを離反させる方向に付勢するばね体が介在され、それらのスライド具本体および補助具のいずれか一方の端面に、水平な横溝とその横溝に対して直交する縦溝とが設けられ、他方の端面に、上記横溝および上記縦溝の両方に対し択一的に嵌合状に係合可能でかつ係合によって上記ねじ孔にねじ合わされた上記ねじ軸の回りでの上記補助具の揺動を阻止する突起が突出され、上記把手の上記操作部と上記補助具の外側面との間に、上記ねじ孔にねじ合わされた上記ねじ軸の上記押付け部が上記支柱本体の外面を押し付けたときに上記操作部で支持されて上記補助具を上記スライド具本体側に弾性的に押し付けるばね部材が介在され、かつこのばね部材が上記ねじ軸に外嵌されたばねワッシャでなる、というものである。
【０００８】
この支柱セットにおいて、使用時には、第１台座部材と第２台座部材とが支柱本体を垂直に支える台座として機能する。そして、第１台座部材は支柱本体の下端部に横軸を介して取り付けられているので、その第１台座部材の姿勢を水平にしたり傾斜させたりすることが可能である。これに対し、第２台座部材は、スライド具本体と補助具とでなるスライド具を介して支柱本体にスライド自在に保持され、かつ把手のねじ軸を介して支柱本体に固定されるものであるから、第１台座部材とは別に第２台座部材の高さレベルを自由に調節することが可能である。このことを利用すると、地面などの設置面に凹凸があるような場合に、第１台座部材の姿勢を水平にしたり傾斜させたりすることと共に、第１台座部材に対する第２台座部材の高さレベルを調節することによって、その設置面の凹凸を吸収させることが可能であり、そのようにすることによって支柱本体を安定して設置することができるようになる。
【０００９】
また、第１台座部材は、それを支柱本体に取り付けている横軸の回りで揺動させて支柱本体に沿う格納姿勢にすることが可能である。これに対し、スライド具に設けられている上記突起が上記横溝や上記縦溝のいずれにも係合していないときには、スライド具のねじ孔にねじ合わされかつ補助具のねじ軸挿通孔部に挿通されている把手のねじ軸の回りで補助具を回転させることができ、そのように補助具を回転させることによって、上記突起に対して上記横溝や上記縦溝を択一的に対向させることができる。このことを利用して、突起を縦溝に対向させた後、把手を回しそのねじ軸を締付け方向に回転させることによってそのねじ軸の押付け部で支柱本体の外面を押し付けておくと、スライド具が支柱本体に固定されると共に、突起と縦溝とが係合して上記ねじ軸の回りでの上記補助具の揺動が阻止され、一対の第２台座部材の着座部が支柱本体に沿う形で格納される。したがって、第１台座部材と第２台座部材とを支柱本体に沿わせるようにしてコンパクトに格納することが可能になる。また、この状態では、ばねワッシャによって補助具がスライド具本体側に弾性的に押し付けられるので、補助具がぐらつきなくスライド具本体に固定される。
【００１０】
さらに、第１台座部材や第２台座部材を上記したような格納状態から、第１台座部材を横軸の回りで揺動させることによって水平または傾斜した姿勢にすることができる。また、把手を回してそのねじ軸を緩み方向に回転させると、ばね体の力で補助具がスライド具本体から離反されるのに伴い突起と縦溝との係合が解除されるので、そのような解除が行われた後では、補助具を把手のねじ軸の回りで回転させて一対の第２台座部材を着座可能な姿勢にすることができる。したがって、これらの操作を通じて地面などの設置面に支柱本体を安定して設置することができる。
【００１１】
本発明に係る上記した支柱セットにおいては、上記突起が上記横溝および縦溝のいずれにも係合していないときに、上記ねじ軸に回転自在に支えられた上記補助具が、一対の上記第２台座部材の重さによって、上記突起と上記横溝とを相互に対向させる水平姿勢に保持されるようになっていることが望ましい。
【００１２】
このようにしておくと、第２台座部材を上記のように格納した状態から、把手を回してそのねじ軸を緩み方向に回転させることにより突起と縦溝との係合を解除させると、その解除が行われた時点で、一対の第２台座部材の重さにより補助具が把手のねじ軸の回りで自然に回転し、同時に、一対の第２台座部材の重さがバランスして補助具が水平姿勢に保持されて上記突起と上記横溝とが相互に対向する。したがって、支柱本体に対してスライド具本体をスライドさせてその高さレベルの調節を行った後、把手の操作部を回してねじ軸を締め付けるだけで上記突起と上記横溝とが係合する。そして、ねじ軸の押付け部で支柱本体の外面を押し付けると、スライド具本体が支柱本体に固定されると共に、ばねワッシャによって補助具がスライド具本体側に弾性的に押し付けられるので、補助具がぐらつきなくスライド具本体に固定される。
【００１３】
本発明に係る上記した支柱セットにおいては、上記第１台座部材において、上記支柱本体の軸線に対する上記横軸の偏心方向側の一端部から上記横軸の中心に至る部分の重さよりも、その第１台座部材における他端部から上記横軸の中心に至る部分の重さを重くしてあることが望ましい。
【００１４】
このようにしておくと、支柱本体に対して第１台座部材が水平姿勢になっている状態から支柱本体を垂直方向に持ち上げると、第１台座部材の他端部から横軸の中心に至る部分の重さと、第１台座部材の一端部から横軸の中心に至る部分の重さとの不均衡によって第１台座部材が自然に横軸の回りに回転して格納姿勢になる。
【００１５】
【発明の実施の形態】
図１は本発明の実施の一形態である支柱セットＡの利用例を示す概略正面図、図２は図１の支柱セットＡの平面図である。図１および図２の利用例では、年齢や性別に関わらず、また屋内であるから屋外であるかに関わらず気楽に楽しむことのできる娯楽性に富む球技として本願出願人が案出したバウンスボール（Ｂｏｕｎｃｅ  Ｂａｌｌ）と命名された球技のネット張設用として用いられている。この球技は、バドミントンの公式コートサイズ（長さ１３４０ｃｍ，幅６１０ｃｍ）の中央に、ネットＮを張設してコートを２つに区画し、それぞれの区画の陣営の相互間でバウンズしたボールをパスするというものであり、ネットＮの高さは７５０ｍｍ程度にしておくことが多い。
【００１６】
図１や図２のように、上記支柱セットＡは、支柱本体１と、支柱本体１の下端部に取付具２を介して取り付けられた棒状の第１台座部材３と、支柱本体１にスライド具４を介して取り付けられた第２台座部材６と、両側の支柱本体１，１間の間隔を正確に定めるための渡し棒Ｌ、などを備えている。そして、上記ネットＮの張り線Ｎ１が、支柱本体１の頂部に経糸て第１台座部材３に設けられているフック部７まで導かれてそのフック部７に掛止されている。
【００１７】
図３は支柱セットＡの使用状態を一部省略して示した斜視図、図４は支柱セットＡの使用状態での正面図、図５は使用状態でのスライド具４や把手８などを示した一部破断正面図、図６は使用状態でのスライド具４や把手８などを示した一部破断平面図、図７は格納状態での要部を示す正面図、図８は格納状態でのスライド具４や把手８などを示した一部破断正面図、図９は把手８のねじ軸８１を緩めた状態での一部破断正面図、図１０は把手８のねじ軸８１を緩めた状態での一部破断側面図である。
【００１８】
支柱本体１には所定長さに切断した金属製のパイプ材が用いられており、その上端部に合成樹脂製のキャップ１１が装着され、そのキャップ１１の頂部に図１および図２で説明した張り線Ｎ１を掛止するための溝１２が備わっている。支柱本体１の下端部に取付具２が固着されている。図１や図４や図７で判るように、この取付具２は、支柱本体１の下端部に溶接接合された連結部２１から一対の板片部２２，２２が平行に延び出ており、これらの板片部２２，２２の先端部間に横軸２３が設けられている。このため、その横軸２３は、支柱本体１の軸線１ａに対して寸法ａだけ隔たった偏心箇所に配備されている（図４および図７参照）。
【００１９】
上記横軸２３によって一対の板片部２２，２２の相互間に嵌め込まれた棒状の第１台座部材３が支えられている。取付具２と横軸２３とを介して支柱本体１の下端部に取り付けられた上記第１台座部材３は、上記横軸２３の回りで、支柱本体１に沿う格納姿勢（図７）と支柱本体１に直交する水平姿勢（図３や図４など）との間で揺動可能である。この第１台座部材３には所定長さに切断した金属製のパイプ材が用いられており、その一端部３１と他端部３２とにそれぞれ合成樹脂製のキャップ３３，３４が装着されている。また、図７に示したように、この第１台座部材３において、支柱本体１の軸線１ａに対する横軸２３の偏心方向側の一端部３１からその横軸２３の中心に至る部分（一端側部分）３ａの重さよりも、その他端部３２から上記横軸２３の中心に至る部分（他端側部分）３ｂの重さを重くしてある。このため、第１台座部材３がその自重によって横軸２３の回りで回転できるようになっているときには、上記他端側部分３ｂが上記一端側部分３ａよりも重いので、図４のように第１台座部材３が水平姿勢になっている状態から支柱本体１を持ち上げてその第１台座部材３を宙に浮かせると、その第１台座部材３が図７のように支柱本体１に沿う格納姿勢になるまで自重で揺動する。これに対し、第１台座部材３が取付具２の一対の板片部２２，２２で挟まれていてその自重によっては揺動できない状態になっているときには、その第１台座部材３を手で揺動させて図７に示した格納姿勢や図４に示した水平姿勢にすることが可能である。第１台座部材３の横軸２３への取付構造として上記した２つの場合のいずれを採用するかは自由であるけれども、前者の構成を採用すると、支柱本体１を持ち上げるだけで第１台座部材３の格納が自然に行われるという利便がある。
【００２０】
図３のように、スライド具４は、貫通孔部４２を備えたスライド具本体４１と、一対の第２台座部材６，６を備えた補助具５１とに分割されている。スライド具本体４１の貫通孔部４２は、大きながたつきを持たない状態で支柱本体１に上下スライド自在に嵌合できる大きさになっている。また、図５、図６、図８、図９などに示したように、スライド具本体４１に具備された平坦な端面４３には、その全横幅に亘って延びる突起４４が突設されていると共に、そのスライド具本体４１には、上記突起４４の端面（スライド具本体４１の外側面）と上記貫通孔部４２の内周面とで開口するねじ孔４５がそのスライド具本体４１を貫通して形成されている。
【００２１】
これに対し、上記補助具５１には、上記ねじ孔４５と同心のねじ軸挿通孔部５２が貫通して形成されている。また、この補助具５１に具備された内側の端面には、水平な横溝５３とこの横溝５３に対して直交する縦溝５４とが備わっている。これらの横溝５３や縦溝５４のそれぞれは、上記ねじ軸挿通孔部５２の軸線を挟んで左右対称形状になっているので、そのねじ軸挿通孔部５２は、横溝５３と縦溝５４との交差箇所で開口している。横溝５３の溝幅と縦溝５４の溝幅とは同一寸法になっており、それらの横溝５３や縦溝５４に対しては、上記したスライド具本体４１側の突起４４が択一的に嵌合状に係合可能になっている。そして、突起４４に横溝５３が係合しているときには、図３や図４のように補助具５１が横長の水平姿勢に保持されるのに対し、突起４４に縦溝５４が係合しているときには、図８のように補助具５１が縦長の垂直姿勢に保持されるようになっている。
【００２２】
上記したスライド具本体４１と補助具５１とは、把手８によって連結される。図５、図６、図８、図９などのように、把手８は、ねじ軸８１と、このねじ軸８１の基部に設けられた合成樹脂製の操作部８２とを備えている。そして、ねじ軸８１が、上記補助具５１のねじ軸挿通孔部５２に挿通されかつ上記スライド具本体４１のねじ孔４５にねじ合わされて緩み方向と締付け方向とに回転操作されるようになっている。また、補助具５１の外側面と操作部８２のボス部８３との間には、上記ねじ軸８１に外嵌された一対のワッシャ８４，８４と、それらの間に挟み込まれたばねワッシャ８５とが介在されている。ここで、ばねワッシャ８５は、ねじ孔４５にねじ合わされたねじ軸８１の押付け部８７（後述する）が上記支柱本体１の外面を押し付けたときに操作部８２で支持されて補助具５１をスライド具本体４１側に弾性的に押し付ける働きをする「ばね部材」の一例である。さらに、スライド具本体４１と補助具５１との間には、ねじ軸８１に外嵌されたコイルばねでなるばね体４６が介在されていて、このばね体４６の力によってスライド具本体４１と補助具５１とが相互に離反する方向に付勢されるようになっている。さらに、上記ねじ軸８１の先端部は押付け部８７となされている。このため、ねじ孔４５にねじ合わされた上記ねじ軸８１が締付け方向に回転されたときには、その押付け部８７が、上記貫通孔部４２が嵌合している支柱本体１の外面を押し付けて上記スライド具４を支柱本体１に固定する。
【００２３】
上記補助具５１に一対の棒状の第２台座部材６，６が取り付けられている。図３で判るように、第２台座部材６は、立下り部６１とその立下り部６１の下端部に連設されて水平に延び出た着座部６２とを備えている。この第２台座部材６，６は金属製のパイプ材を折り曲げることにより形成されており、その端部に合成樹脂製のキャップ６３が装着されている。そして、一対の第２台座部材６，６が、それらの立下り部６１，６１の相互間隔を上記第１台座部材３の太さよりも広くしかつ互いに反対向きにして上記補助具５１に取り付けられている。ここで、一対の上記第２台座部材６，６の重さは同一になっている。そのため、図９のようにスライド具本体４１側の突起４４が補助具５１側の横溝５３や縦溝５４のいずれにも係合していないときには、、上記ねじ軸８１によって回転自在に支えられている補助具５１が、一対の第２台座部材６，６の重さのバランスによって、横長の水平姿勢に保持される。
【００２４】
以上説明した支柱セットＡにおいて、図１や図２で説明したような使用時には、第１台座部材３と一対の第２台座部材６，６とが支柱本体１を垂直に支える台座として機能する。そして、このときには、図５や図６に示したように、第１台座部材３が横軸２３に支えられた水平姿勢になっており、また、把手８のねじ軸８１が締め付けられてその押付け部８７が支柱本体１を押し付けていると共に、スライド具本体４１側の突起４４に補助具５１側の横溝５３が係合して補助具５１が横長の水平姿勢に保たれる。
【００２５】
この場合に、上記突起４４が横溝５３から離脱しない範囲で把手８のねじ軸８１を緩み方向に回転させて押付け部８７を支柱本体１の外面から離すと、補助具５１が横長の水平姿勢を保ったまま、スライド具４が支柱本体１に対して上下スライド自在になる。したがって、そのようにして第２台座部材６，６と第１台座部材３との間の高さレベルを調節すると、地面や床面に対してそれらの第１台座部材３や第２台座部材６，６ががたつきなく安定して載置されるようになる。
【００２６】
また、図４に仮想線で例示したように地面Ｇに凹凸があるようなときには、第１台座部材３を横軸２３の回りで揺動させることによってその第１台座部材３を地面Ｇの凹凸に沿わせて傾斜させ、また、スライド具４をスライドさせて第２台座部材６が地面Ｇに着座するようにその高さレベルを調節する。このようにすれば、第１台座部材３と第２台座部材６とが地面に安定して載置される。
【００２７】
格納するときにはたとえば次の操作を行えばよい。
【００２８】
すなわち、第１台座部材３については、それを横軸２３の回りで揺動させて図７のように支柱本体１に沿う格納姿勢にする。これに対し、第２台座部材６，６については、把手８のねじ軸８１を緩み方向に回転させることにより、ばね体４６の力で補助具５１側の横溝５３をスライド具本体４１側の突起４４から離脱させて突起４４が横溝５３や縦溝５４のいずれにも係合していない状態にした後、その補助具５１を９０度揺動させて縦溝５４を上記突起４４に対向させ、その状態から把手８のねじ軸８１を締付け方向に回転させる。このようにすると、ねじ軸８１の押付け部８７が支柱本体１の外面を押し付けるので、スライド具４が支柱本体１に固定され、同時に、図８のように突起４４に縦溝５４が係合し、一対の第２台座部材６，６の着座部６２，６２が図７のように支柱本体１に沿う形で格納される。また、この状態では、ばねワッシャ８５によって補助具５１がスライド具本体４１側に弾性的に押し付けられるので、補助具５１がぐらつきなくスライド具本体４１に固定される。
【００２９】
図７の形で格納されている支柱セットＡを使用するときには、第１台座部材３については、それを横軸２３の回りで揺動させることによって水平姿勢または地面の凹凸に合う傾斜姿勢にする。また、第２台座部材６，６については、次のようにする。すなわち、把手８のねじ軸８１を緩み方向に回転させることにより、ばね体４６の力で補助具５１側の縦溝５４をスライド具本体４１側の突起４４から離脱させて、突起４４が横溝５３や縦溝５４のいずれにも係合していない状態にする。このようにすると、一対の第２台座部材６，６の重さにより補助具５１が把手８のねじ軸８１の回りで図１０の矢符Ｒのように自然に回転し、同時に、一対の第２台座部材６，６の重さがバランスして補助具５１が横長の水平姿勢に保持され、それによって補助具５１側の横溝５３がスライド具本体４１側の突起４４に対向する。したがって、この後、スライド具４の高さレベルを調節し、また、把手８のねじ軸８１を締付け方向に回転させることによりばね体４６の力に抗して補助具５１側の横溝５３をスライド具本体４１側の突起４４に係合させ、同時に、ねじ軸８１の押付け部８７で支柱本体１の外面を押し付けると、スライド具本体４１が支柱本体１に固定されると共に、ばねワッシャ８５によって補助具５１がスライド具本体４１側に弾性的に押し付けられて補助具５１がぐらつきなくスライド具本体４１に固定される。
【００３０】
図１１は上記した支柱セットＡを収納するための収納袋Ｂを示している。この収納袋Ｂは、細長い袋体９にファスナー９１を縫着してそのファスナー９１を開閉自在とし、かつ、袋体９の両端外面のそれぞれに吊手９２，９２を取り付け、また、袋体９の長手方向中央部にも吊手９３を取り付けたものである。このような収納袋Ｂによると、ファスナー９１を開いて図７のようにコンパクトに格納した支柱セットＡを袋体９に収容した後、ファスナー９１を閉じれば、その収納袋Ｂに支柱セットＡが収容される。また、収納袋Ｂに収容した袋体９を持ち運ぶときは、中央部の吊手９３を手で持ったり肩に掛けたり、あるいは、両端の吊手９２，９２を２人で持ったり、あるいは、中央の吊手９３と両端の吊手９２，９２とを３人で持ったりすることができるので、支柱セットＡが重くても、子供や老人がそれを持ち運ぶことができるようになる。
【００３１】
【発明の効果】
本発明に係る支柱セットは、支柱本体を垂直に支えるための台座として機能する第１台座部座や第２台座部材を、支柱本体から取り外さずに支柱本体に沿う姿勢にしてコンパクトな形に格納することができるので、運搬や保管に便利である。また、使用に際しては把手を回すといった簡単な操作を行うだけで、それほどの労力を使わずに短時間で地面や床面に設置することができるので、老人や子供にとっても取扱いが容易である。その上、本発明に係る支柱セットは、凹凸のある地面などに対しても安定して設置することができるので、屋内であるか屋外であるかを問わず球技用のネットを張設するための支柱セットとして好適に利用することができる。そのほか、本発明の支柱セットは、物干し竿を横架するといった他の用途の支柱セットとしても好適に用い得るものである。
【図面の簡単な説明】
【図１】本発明の実施の一形態である支柱セットの利用例を示す概略正面図である。
【図２】図１の支柱セットの平面図である。
【図３】支柱セットＡの使用状態を一部省略して示した斜視図である。
【図４】支柱セットの使用状態での正面図である。
【図５】使用状態でのスライド具などを示した一部破断正面図である。
【図６】使用状態でのスライド具などを示した一部破断平面図である。
【図７】格納状態での要部を示す正面図である。
【図８】格納状態でのスライド具などを示した一部破断正面図である。
【図９】把手のねじ軸を緩めた状態での一部破断正面図である。
【図１０】把手のねじ軸を緩めた状態での一部破断側面図である。
【図１１】収納袋の概略斜視図である。
【符号の説明】
Ａ  支柱セット
１  支柱本体
１ａ  支柱本体の軸線
３  第１台座部材
３ａ  第１台座部材の一端側部分
３ｂ  第１台座部材の他端側部分
４  スライド具
６  第２台座部材
８  把手
２３  横軸
４１  スライド具本体
４２  貫通孔部
４４  突起
４５  ねじ孔
４６  ばね体
５１  補助具
５２  ねじ軸挿通孔部
５３  横溝
５４  縦溝
６１  立下り部
６２  着座部
８１  ねじ軸
８２  操作部
８５  ばねワッシャ
８７  押付け部
【図１】
0003865270.tif 000002
【図２】
0003865270.tif 000003
【図３】
0003865270.tif 000004
【図４】
0003865270.tif 000005
【図５】
0003865270.tif 000006
【図６】
0003865270.tif 000007
【図７】
0003865270.tif 000008
【図８】
0003865270.tif 000009
【図９】
0003865270.tif 000010
【図１０】
0003865270.tif 000011
【図１１】
0003865270.tif 000012